(57)【特許請求の範囲】
【請求項１】
第１のオブジェクトを表示するタッチスクリーンディスプレイと、
ロック状態にある場合に、前記タッチスクリーンディスプレイに表示されている第１のオブジェクトに対して、該第１のオブジェクトを透過する第２のオブジェクトを重ねて表示させるコントローラと
を備え、
前記タッチスクリーンディスプレイは、前記第２のオブジェクトの表示領域を減少させるための前記第２のオブジェクトに対するタッチジェスチャを検出し、
前記コントローラは、
前記タッチスクリーンディスプレイにより前記タッチジェスチャが検出された場合には、前記第２のオブジェクトの表示領域を減少させて、当該前記第２のオブジェクトの表示領域が減少した領域に位置する前記第１のオブジェクトの一部への操作を可能とし、
前記第２のオブジェクトの表示領域を減少させた後、一定時間経過した場合には、減少した前記第２のオブジェクトの表示領域を復元し、ロック状態に移行させる装置。
【請求項２】
タッチジェスチャを検出するタッチスクリーンディスプレイと、
前記タッチスクリーンディスプレイが検出した前記タッチジェスチャに応じて、前記タッチスクリーンディスプレイの表示を制御するコントローラと
を備え、
前記コントローラは、
第１のオブジェクトに、当該第１のオブジェクトを透過する第２のオブジェクトを重ねて表示させて、前記第１のオブジェクトへの操作を不可能としているときに、
前記第２のオブジェクトの表示領域を減少させるための前記第２のオブジェクトに対するタッチジェスチャを検出すると、前記第２のオブジェクトの一部の表示領域を減少させて、当該前記第２のオブジェクトの表示領域が減少した領域に位置する前記第１のオブジェクトの一部への操作を可能とし、
前記第２のオブジェクトの表示領域を減少させた後、一定時間経過した場合には、減少した前記第２のオブジェクトの表示領域を復元する装置。
【請求項３】
前記コントローラは、前記タッチスクリーンディスプレイにより前記タッチジェスチャが検出された場合に、前記第２のオブジェクトの各領域に対して予め設定された順序に従って、前記第２のオブジェクトの表示領域を減少させる請求項１または２に記載の装置。
【請求項４】
前記第１のオブジェクトは、複数のアイコンを含む、請求項１から３のいずれか１つに記載の装置。
【請求項５】
前記コントローラは、前記複数のアイコンのうち、前記第２のオブジェクトと重なって表示されていない前記第１のオブジェクトに対するタッチジェスチャが前記タッチスクリーンディスプレイにより検出された場合には、前記第１のオブジェクトに対応付けられたアプリケーションを実行するとともに、前記第２のオブジェクトの表示を前記第１のオブジェクトに重ねて表示させない、請求項４に記載の装置。
【請求項６】
前記コントローラは、前記第２のオブジェクトの表示領域を減少させてから、前記第１のオブジェクトに対するタッチジェスチャが前記タッチスクリーンディスプレイにより検出されることなく前記一定時間が経過した場合には、前記第２のオブジェクトの表示領域を増加させる請求項１から５のいずれか１つに記載の装置。
【請求項７】
タッチスクリーンディスプレイを備える装置を制御する方法であって、
前記タッチスクリーンディスプレイが検出したタッチジェスチャに応じて、前記タッチスクリーンディスプレイの表示を制御するステップと、
第１のオブジェクトに、当該第１のオブジェクトを透過する第２のオブジェクトを重ねて表示させるステップと、
前記第１のオブジェクトへの操作を不可能としているときに、前記第２のオブジェクトの表示領域を減少させるための前記第２のオブジェクトに対するタッチジェスチャを検出すると、前記第２のオブジェクトの一部の表示領域を減少させて、当該前記第２のオブジェクトの表示領域が減少した領域に位置する前記第１のオブジェクトの一部への操作を可能とするステップと、
前記第２のオブジェクトの表示領域を減少させた後、一定時間経過した場合には、減少した前記第２のオブジェクトの表示領域を復元するステップと
を含む方法。
【請求項８】
タッチスクリーンディスプレイを備える装置に、
前記タッチスクリーンディスプレイが検出したタッチジェスチャに応じて、前記タッチスクリーンディスプレイの表示を制御するステップと、
第１のオブジェクトに、当該第１のオブジェクトを透過する第２のオブジェクトを重ねて表示させるステップと、
前記第１のオブジェクトへの操作を不可能としているときに、前記第２のオブジェクトの表示領域を減少させるための前記第２のオブジェクトに対するタッチジェスチャを検出すると、前記第２のオブジェクトの一部の表示領域を減少させて、当該前記第２のオブジェクトの表示領域が減少した領域に位置する前記第１のオブジェクトの一部への操作を可能とするステップと、
前記第２のオブジェクトの表示領域を減少させた後、一定時間経過した場合には、減少した前記第２のオブジェクトの表示領域を復元するステップと
を実行させるプログラム。
【発明の詳細な説明】
【技術分野】
【０００１】
本出願は、装置、方法、及びプログラムに関する。特に、本出願は、タッチスクリーンを有する装置、その装置を制御する方法、及びその装置を制御するためのプログラムに関する。
【背景技術】
【０００２】
タッチスクリーンを備えるタッチスクリーンデバイスが知られている。タッチスクリーンデバイスには、例えば、スマートフォン及びタブレットが含まれる。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、Ｗｉｎｄｏｗｓ（登録商標）  Ｐｈｏｎｅである。
【先行技術文献】
【特許文献】
【０００４】
【特許文献１】国際公開第２００８／０８６３０２号
【発明の概要】
【発明が解決しようとする課題】
【０００５】
タッチスクリーンデバイスの多くは、利用者の誤操作の防止およびセキュリティの観点から、利用者によって操作されない期間がある期間継続するとロック状態へ移行する。タッチスクリーンデバイスは、ロック状態にある場合、特定の操作を除いて、利用者の操作を受け付けない。特定の操作には、例えば、ロック状態を解除するためのロック解除操作が含まれる。
【０００６】
ところで、タッチスクリーンデバイスは、ロック状態にある場合、ロック画面を表示させる。このため、ロック状態にある場合、利用者は、ロック状態となる前に表示されていた情報を確認できない。
【０００７】
このような理由により、ロック状態であっても、ロック状態となる前に表示されていた情報を視覚的に確認できる装置、方法、及びプログラムに対する必要性がある。
【課題を解決するための手段】
【０００８】
１つの態様に係る装置は、第１のオブジェクトを表示するタッチスクリーンディスプレイと、ロック状態にある場合に、前記タッチスクリーンディスプレイに表示されている第１のオブジェクトに対して、該第１のオブジェクトを透過する第２のオブジェクトを重ねて表示させるコントローラとを備える。
【０００９】
１つの態様に係る方法は、タッチスクリーンディスプレイを備える装置を制御する方法であって、前記タッチスクリーンディスプレイに第１のオブジェクトを表示させるステップと、ロック状態にある場合に、前記タッチスクリーンディスプレイに表示されている前記第１のオブジェクトに対して、該第１のオブジェクトを透過する第２のオブジェクトを重ねて表示させるステップとを含む。
【００１０】
１つの態様に係るプログラムは、タッチスクリーンディスプレイを備える装置に、前記タッチスクリーンディスプレイに第１のオブジェクトを表示させるステップと、ロック状態にある場合に、前記タッチスクリーンディスプレイに表示されている前記第１のオブジェクトに対して、該第１のオブジェクトを透過する第２のオブジェクトを重ねて表示させるステップとを実行させる。
【図面の簡単な説明】
【００１１】
【図１】図１は、実施形態に係るスマートフォンの外観を示す斜視図である。
【図２】図２は、実施形態に係るスマートフォンの外観を示す正面図である。
【図３】図３は、実施形態に係るスマートフォンの外観を示す背面図である。
【図４】図４は、ホーム画面の一例を示す図である。
【図５】図５は、ロック状態にある場合にディスプレイに表示される画面の一例を示す図である。
【図６】図６は、スマートフォンの構成を示すブロック図である。
【図７】図７は、オブジェクト排除機能による制御の例を示す図である。
【図８】図８は、オブジェクト排除機能による制御の例を示す図である。
【図９】図９は、オブジェクト排除機能による制御の例を示す図である。
【図１０】図１０は、アプリケーション実行機能による制御の例を示す図である。
【図１１】図１１は、アプリケーション実行機能による制御の例を示す図である。
【図１２】図１２は、オブジェクト復元機能による制御の例を示す図である。
【図１３】図１３は、制御プログラムが提供する機能に基づく制御の処理手順を示す図である。
【図１４】図１４は、制御プログラムが提供する機能に基づく制御の処理手順を示す図である。
【図１５】図１５は、オブジェクト排除機能による制御の他の例を示す図である。
【図１６】図１６は、オブジェクト排除機能による制御の他の例を示す図である。
【図１７】図１７は、オブジェクト排除機能による制御の他の例を示す図である。
【図１８】図１８は、オブジェクト排除機能による制御の他の例を示す図である。
【図１９】図１９は、オブジェクト排除機能による制御の他の例を示す図である。
【図２０】図２０は、オブジェクト排除機能による制御の他の例を示す図である。
【発明を実施するための形態】
【００１２】
図面を参照しつつ実施形態を詳細に説明する。以下では、タッチスクリーンを備える装置の一例として、スマートフォンについて説明する。
【００１３】
（実施形態）
図１から図３を参照しながら、本実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１４】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１５】
タッチスクリーンディスプレイ２は、ディスプレイ２Ａと、タッチスクリーン２Ｂとを有する。ディスプレイ２Ａは、液晶ディスプレイ（Ｌｉｑｕｉｄ  Ｃｒｙｓｔａｌ  Ｄｉｓｐｌａｙ）、有機ＥＬパネル（Ｏｒｇａｎｉｃ  Ｅｌｅｃｔｒｏ−Ｌｕｍｉｎｅｓｃｅｎｃｅ  ｐａｎｅｌ）、又は無機ＥＬパネル（Ｉｎｏｒｇａｎｉｃ  Ｅｌｅｃｔｒｏ−Ｌｕｍｉｎｅｓｃｅｎｃｅ  ｐａｎｅｌ）等の表示デバイスを備える。ディスプレイ２Ａは、文字、画像、記号、及び図形等を表示する。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下では、説明を簡単にするため、タッチスクリーン２Ｂが接触を検出する指、ペン、又はスタイラスペン等を単に「指」ということがある。
【００１８】
スマートフォン１は、タッチスクリーン２Ｂにより検出された接触、接触が検出された位置、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャには、タッチ、ロングタッチ、リリース、スワイプ、タップ、ダブルタップ、ロングタップ、ドラッグ、フリック、ピンチイン、ピンチアウト等が含まれる。
【００１９】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間以上触れるジェスチャである。スマートフォン１は、タッチスクリーン２Ｂに指が一定時間以上接触するジェスチャをロングタッチとして判別する。
【００２０】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２１】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２２】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２３】
「フリック」は、タッチに続いて指が一方方向へ高速で移動しながらリリースするジェスチャである。スマートフォン１は、タッチに続いて指が一方方向へ高速で移動しながらリリースするジェスチャをフリックとして判別する。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。
【００２４】
「ピンチイン」は、複数の指が近付く方向にスワイプするジェスチャである。スマートフォン１は、複数の指が近付く方向にスワイプするジェスチャをピンチインとして判別する。「ピンチアウト」は、複数の指が遠ざかる方向にスワイプするジェスチャである。スマートフォン１は、複数の指が遠ざかる方向にスワイプするジェスチャをピンチアウトとして判別する。
【００２５】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なる。以下では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００２６】
図４を参照しながら、ディスプレイ２Ａに表示されるホーム画面の例について説明する。図４は、ホーム画面の一例を示している。ホーム画面は、デスクトップ、又は待受画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００２７】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、そのアイコン５０に対応付けられているアプリケーションを実行する。例えば、スマートフォン１は、メールアプリケーションに対応付けられたアイコン５０に対するタップが検出されると、メールアプリケーションを実行する。
【００２８】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン又はバックスクリーンと呼ばれることもある。スマートフォン１は、任意の画像を壁紙４１として用いることができる。利用者の設定に従って任意の画像が壁紙４１として決定されてもよい。
【００２９】
スマートフォン１は、ホーム画面の数を増減することができる。スマートフォン１は、例えば、ホーム画面の数を利用者による設定に従って決定する。スマートフォン１は、ホーム画面の数が複数であっても、選択された１つをディスプレイ２Ａに表示する。
【００３０】
スマートフォン１は、ホーム画面上に、１つ又は複数のロケータを表示する。ロケータの数は、ホーム画面の数と一致する。ロケータは、どのホーム画面が現在表示されているかを示す。現在表示されているホーム画面に対応するロケータは、他のロケータと異なる態様で表示される。
【００３１】
図４に示す例では、４つのロケータ５１が表示されている。これは、ホーム画面４０の数が４つであることを示す。さらに、図４に示す例では、左から２番目のシンボルが他のシンボルと異なる態様で表示されている。これは、現在、左から２番目のホーム画面がディスプレイ２Ａに表示されていることを示している。
【００３２】
スマートフォン１は、ホーム画面を表示中にジェスチャを検出すると、ディスプレイ２Ａに表示するホーム画面を切り替える。例えば、スマートフォン１は、右フリックを検出すると、ディスプレイ２Ａに表示するホーム画面を１つ左のホーム画面に切り替える。例えば、スマートフォン１は、左フリックを検出すると、ディスプレイ２Ａに表示するホーム画面を１つ右のホーム画面に切り替える。
【００３３】
ディスプレイ２Ａの上端には、領域４２が設けられている。領域４２には、充電池の残量を示す残量マーク４３、及び通信用の電波の電界強度を示す電波レベルマーク４４が表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３４】
スマートフォン１は、ホーム画面４０上に、利用者に対する通知５２を表示する。図４に示す例では、メールを受信したことを利用者に知らせるための通知を表示している。メールを受信したことを利用者に知らせるための通知を表示する場合には限定されず、例えば、着信があったことを利用者に知らせる通知、またはＳＭＳおよびＭＭＳを受信した通知などをホーム画面上に表示させてもよい。ホーム画面４０、ホーム画面４０の配置されたアイコン５０およびアイコン５０に対応するアプリケーションの実行画面などは、第１のオブジェクトの一例である。
【００３５】
図４に示したホーム画面４０は、一例であり、各種の要素の形態、各種の要素の配置、ホーム画面４０の数、及びホーム画面４０での各種の操作の仕方等は上記の説明の通りでなくてもよい。
【００３６】
図５を参照しながら、スマートフォン１がロック状態にある場合に、ディスプレイ２Ａに表示される画面の例について説明する。図５は、スマートフォン１がロック状態にある場合に、ディスプレイ２Ａに表示される画面の一例を示す図である。スマートフォン１は、図４に示すホーム画面４０の他に、図５に示す画面６０をディスプレイ２Ａに表示する。スマートフォン１は、利用者によって操作されない期間がある期間継続すると、利用者の誤操作の防止およびセキュリティの観点から、ロック状態へ移行する。ロック状態にある場合、スマートフォン１は、ロック状態に移行する直前にディスプレイ２Ａに表示されている第１のオブジェクトに対して、第１のオブジェクトを透過する第２のオブジェクトを重ねて表示する。例えば、ロック状態に移行する直前に第１のオブジェクトとして、ホーム画面４０がディスプレイ２Ａに表示されている場合、図５に示すように、スマートフォン１は、ホーム画面４０の上に、ホーム画面を透過する半透明のオブジェクト６１を重ねて表示する。オブジェクト６１は、ホーム画面と略同一の面積を有する。オブジェクト６１は、第２のオブジェクトの一例である。以下では、図５に示す画面６０を、説明の便宜上、ロック画面６０と表記する。
【００３７】
図５に示すオブジェクト６１は、例えば、半透明の画像レイヤであり、オブジェクト６１の背面の情報を透過するので、ロック状態へ移行後、ロック状態に移行する直前にディスプレイ２Ａに表示されていた情報を利用者に通知できる。図５に示すオブジェクト６１は、ホーム画面４０に対するタッチジェスチャをタッチスクリーン２Ｂにより検出されないようにする。例えば、スマートフォン１は、ホーム画面４０にオブジェクト６１が重ねられている場合、タッチスクリーン２Ｂによる検出結果をオブジェクト６１に対するタッチジェスチャとして検出する。このように、スマートフォン１は、ホーム画面４０にオブジェクト６１を重ねて表示することで、ホーム画面４０に配置された複数のアイコン５０に対する誤操作を防止する。スマートフォン１は、オブジェクト６１に対するタッチジェスチャがあった場合に、オブジェクト６１の表示領域を減少させる。表示領域の減少により、オブジェクト６１が消失した箇所は、部分的にロック状態が解除され、ホーム画面４０が鮮明に表示されるとともに、ホーム画面４０に対する操作が可能となる。
【００３８】
図６は、スマートフォン１の構成を示すブロック図である。スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７とを有する。
【００３９】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４０】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュである。
【００４１】
ボタン３Ａ〜３Ｃは、例えば、ホームボタン、バックボタン、又はメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４２】
照度センサ４は、照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、例えば、タッチスクリーンディスプレイ２が顔に近付けられたことを検出する。照度センサ４及び近接センサ５は、１つのセンサとして構成されていてもよい。
【００４３】
通信ユニット６は、無線により通信する。通信ユニット６によって行われる通信方式は、無線通信規格である。無線通信規格として、例えば、２Ｇ、３Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。通信ユニット６は、上述した通信規格の１つ又は複数をサポートしていてもよい。
【００４４】
レシーバ７及びスピーカ１１は、コントローラ１０から送信される音声信号を音声として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、利用者等の音声を音声信号へ変換してコントローラ１０へ送信する。
【００４５】
ストレージ９は、プログラム及びデータを記憶する。ストレージ９は、コントローラ１０の処理結果を一時的に記憶する作業領域としても利用される。ストレージ９は、半導体記憶デバイス、及び磁気記憶デバイス等の任意の非一過的（ｎｏｎ−ｔｒａｎｓｉｔｏｒｙ）な記憶デバイスを含んでよい。ストレージ９は、複数の種類の記憶デバイスを含んでよい。ストレージ９は、メモリカード、光ディスク、又は光磁気ディスク等の可搬の記憶媒体と、記憶媒体の読み取り装置との組み合わせを含んでよい。
【００４６】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、通信ユニット６による無線通信又は非一過的な記憶媒体を介してストレージ９にインストールされてもよい。
【００４７】
ストレージ９は、例えば、制御プログラム９Ａ、メールアプリケーション９Ｂ、ブラウザアプリケーション９Ｃ、天気予報アプリケーション９Ｄ、使用状況データ９Ｙ、及び設定データ９Ｚを記憶する。メールアプリケーション９Ｂは、電子メール機能を提供する。電子メール機能は、例えば、電子メールの作成、送信、受信、及び表示等を可能にする。ブラウザアプリケーション９Ｃは、ＷＥＢブラウジング機能を提供する。ＷＥＢブラウジング機能は、例えば、ＷＥＢページの表示、及びブックマークの編集等を可能にする。天気予報アプリケーション９Ｄは、天気および天気予報に関する情報を利用者に提供する。使用状況データ９Ｙは、スマートフォン１にインストールされているアプリケーションの使用状況に関する情報を含む。例えば、使用状況データ９Ｙは、画面、行、列、画像、名前、インストール日時、使用回数、及び最終使用日時等の項目を有し、スマートフォン１にインストールされているアプリケーション毎にデータを保持する。設定データ９Ｚは、スマートフォン１の動作に関する各種の設定に関する情報を含む。
【００４８】
制御プログラム９Ａは、スマートフォン１を稼働させるための各種制御に関する機能を提供する。制御プログラム９Ａは、例えば、通信ユニット６、レシーバ７、及びマイク８等を制御することによって、通話を実現させる。制御プログラム９Ａが提供する機能には、ロック状態にある場合に、ディスプレイ２Ａに表示されている第１のオブジェクトに対して、該第１のオブジェクトを透過する第２のオブジェクトを重ねて表示させる機能が含まれる。さらに、制御プログラム９Ａが提供する機能には、タッチスクリーン２Ｂにより第２のオブジェクトに対するタッチジェスチャが検出された場合には、第２のオブジェクトの表示領域を減少させる機能（オブジェクト排除機能）が含まれる。さらに、制御プログラム９Ａが提供する機能には、第２のオブジェクトと重なって表示されていない第１のオブジェクトに対するタッチジェスチャがタッチスクリーン２Ｂにより検出された場合には、第１のオブジェクトに対応付けられたアプリケーションを実行する機能（アプリケーション実行機能）が含まれる。さらに、制御プログラム９Ａが提供する機能には、第２のオブジェクトの表示領域を減少させた後、第１のオブジェクトに対するタッチジェスチャがタッチスクリーン２Ｂにより検出されることなく一定時間が経過した場合には、第２のオブジェクトの表示領域を増加させる機能（オブジェクト復元機能）が含まれる。制御プログラム９Ａが提供する機能は、メールアプリケーション９Ｂ等の他のプログラムが提供する機能と組み合わせて利用されることがある。
【００４９】
コントローラ１０は、演算回路である。演算回路は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、又はＦＰＧＡ（Ｆｉｅｌｄ−Ｐｒｏｇｒａｍｍａｂｌｅ  Ｇａｔｅ  Ａｒｒａｙ）である。コントローラ１０は、スマートフォン１の動作を統括的に制御して各種の機能を実現する。
【００５０】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。コントローラ１０は、検出部の検出結果に応じて、制御を変更することがある。機能部は、ディスプレイ２Ａ、通信ユニット６、マイク８、及びスピーカ１１を含むが、これらに限定されない。検出部は、タッチスクリーン２Ｂ、ボタン３、照度センサ４、近接センサ５、レシーバ７、カメラ１２、カメラ１３、加速度センサ１５、方位センサ１６、及びジャイロスコープ１７を含むがこれらに限定されない。
【００５１】
コントローラ１０は、例えば、制御プログラム９Ａを実行することにより、ロック状態にある場合に、ディスプレイ２Ａに表示されている第１のオブジェクトに対して、該第１のオブジェクトを透過する第２のオブジェクトを重ねて表示させる。さらに、コントローラ１０は、タッチスクリーン２Ｂにより第２のオブジェクトに対するタッチジェスチャが検出された場合には、第２のオブジェクトの表示領域を減少させる。さらに、コントローラ１０は、第２のオブジェクトと重なって表示されていない第１のオブジェクトに対するタッチジェスチャがタッチスクリーン２Ｂにより検出された場合には、第１のオブジェクトに対応付けられたアプリケーションを実行する。さらに、コントローラ１０は、第２のオブジェクトの表示領域を減少させた後、第１のオブジェクトに対するタッチジェスチャがタッチスクリーン２Ｂにより検出されることなく一定時間が経過した場合には、第２のオブジェクトの表示領域を増加させる。
【００５２】
カメラ１２は、フロントフェイス１Ａに面している物体を撮影するインカメラである。カメラ１３は、バックフェイス１Ｂに面している物体を撮影するアウトカメラである。
【００５３】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置である。
【００５４】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。
【００５５】
図６においてストレージ９が記憶するプログラムの一部又は全部は、通信ユニット６による無線通信で他の装置からダウンロードされてもよい。図６においてストレージ９が記憶するプログラムの一部又は全部は、ストレージ９に含まれる読み取り装置が読み取り可能な非一過的な記憶媒体に記憶されていてもよい。図６においてストレージ９が記憶するプログラムの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、又はメモリカードである。
【００５６】
図６に示したスマートフォン１の構成は一例であり、本出願の要旨を損なわない範囲において適宜変更してよい。例えば、ボタン３の数と種類は図６の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてよいし、ボタンを備えなくてもよい。図６に示した例では、スマートフォン１が２つのカメラを備えるが、スマートフォン１は、１つのカメラのみを備えてもよいし、カメラを備えなくてもよい。図６に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００５７】
図７〜図１２を参照しながら、制御プログラム９Ａが提供する機能に基づく制御の例について説明する。以下では、制御プログラム９Ａが提供する機能のうち、上述したオブジェクト排除機能、アプリケーション実行機能およびオブジェクト復元機能による制御の例について説明する。
【００５８】
図７〜図９は、オブジェクト排除機能による制御の例を示している。図７〜図９は、オブジェクト６１に対する利用者のタッチジェスチャに応じて、オブジェクト６１の表示領域が減少していく様子を示している。
【００５９】
図７に示すステップＳ１１は、ロック画面６０のオブジェクト６１がタップされた状態を示している。図７に示すステップＳ１２は、オブジェクト６１の表示領域が減少して、一部が消失した状態を示している。
【００６０】
スマートフォン１は、タッチスクリーン２Ｂの検出結果を取得する。続いて、スマートフォン１は、図７のステップＳ１１に示すように、オブジェクト６１に対するタップを検出した場合には、図７のステップＳ１２に示すように、オブジェクト６１の表示領域を減少させる。例えば、スマートフォン１は、ホーム画面４０と略同一の面積を有するオブジェクト６１の表示領域のうち、オブジェクト６１に対する利用者のタップが検出された位置を中心とする表示領域の一部を減少させる。これにより、スマートフォン１は、オブジェクト６１の背面にあるホーム画面４０の一部を鮮明に表示させることができる。例えば、図７のステップＳ１２に示すように、新着メールがあることを利用者に知らせる通知を鮮明に表示させることができる。さらに、スマートフォン１は、オブジェクト６１の消失により鮮明となったホーム画面４０の一部を操作可能な状態にできる。言い換えれば、スマートフォン１は、ロック状態を一部解除する。
【００６１】
図７に示すステップＳ１２に続いて、図８に示すステップＳ１３では、表示領域の一部が消失したオブジェクト６１がさらにタップされた状態を示している。図８に示すステップＳ１４は、オブジェクト６１の表示領域がさらに減少して、一部が消失した状態を示している。
【００６２】
スマートフォン１は、タッチスクリーン２Ｂの検出結果を取得する。続いて、スマートフォン１は、図８のステップＳ１３に示すように、オブジェクト６１に対するタップを検出した場合には、図８のステップＳ１４に示すように、オブジェクト６１の表示領域を減少させる。例えば、スマートフォン１は、表示領域の一部が消失しているオブジェクト６１の表示領域のうち、オブジェクト６１に対する利用者のタップが検出された位置を中心とする表示領域の一部をさらに減少させる。これにより、スマートフォン１は、オブジェクト６１の背面にあるホーム画面４０の一部をさらに鮮明に表示させることができる。さらに、スマートフォン１は、オブジェクト６１の消失により鮮明となったホーム画面４０の一部を操作可能な状態にできる。
【００６３】
図８に示すステップＳ１４に続いて、図９に示すステップＳ１５では、表示領域の一部が消失したオブジェクト６１がさらにタップされた状態を示している。図９に示すステップＳ１６は、オブジェクト６１の表示領域が完全に消失した状態を示している。
【００６４】
スマートフォン１は、タッチスクリーン２Ｂの検出結果を取得する。続いて、スマートフォン１は、図９のステップＳ１５に示すように、オブジェクト６１に対するタップを検出した場合には、図９のステップＳ１６に示すように、オブジェクト６１の表示領域を完全に消失させる。例えば、スマートフォン１は、表示領域の一部が消失しているオブジェクト６１の表示領域のうち、オブジェクト６１に対する利用者のタップが検出された位置を中心とする表示領域をさらに減少させることにより表示領域を消失させる。これにより、スマートフォン１は、オブジェクト６１の背面にあるホーム画面４０の全てを鮮明に表示させることができる。オブジェクト６１が完全に消失した場合、ロック状態が完全に解除される。
【００６５】
図７〜図９に示すように、オブジェクト６１の一部又は全部が排除されることにより、ホーム画面４０の一部又は全部が操作可能な状態となり、例えば、ホーム画面４０に配置されたアイコン５０に対応付けられたアプリケーションを実行できる。以下では、図１０および図１１を参照しつつ、オブジェクト６１の表示領域の一部を減少させた後、利用者の操作に応じてアプリケーションを実行する制御（アプリケーション実行機能による制御）の例を説明する。図１０および図１１は、アプリケーション実行機能による制御の例を示す図である。
【００６６】
図１０は、図７のステップＳ１２に示す状態から、ホーム画面４０に配置されたアイコン５０ａに対応付けられたメールアプリケーション９Ｂを実行する制御の例を示している。図１０に示すステップＳ２１は、アイコン５０ａがドラッグされている状態を示している。図１０に示すステップＳ２２は、メールボックスの画面７０がディスプレイに表示されている状態を示している。メールボックスの画面７０にある画像７１は、閲覧されていない受信メールが１通あることを示している。
【００６７】
スマートフォン１は、タッチスクリーン２Ｂの検出結果を取得する。続いて、スマートフォン１は、図１０のステップＳ２１に示すように、オブジェクト６１と重なって表示されていないアイコン５０ａに対するドラッグを検出した場合には、アイコン５０ａに対応付けられたメールアプリケーション９Ｂを実行する。例えば、スマートフォン１は、ドラッグによりアイコン５０ａが一定距離以上移動した場合に、メールアプリケーション９Ｂを実行する。そして、図１０のステップＳ２２に示すように、スマートフォン１は、ディスプレイ２Ａにメールボックスの画面７０を表示させる。このようにして、スマートフォン１は、利用者に対して、アプリケーションを容易に実行させることができる。例えば、利用者は、新着メールを確認したい場合に、オブジェクト６１の一部を排除した後、簡単な操作を行うことで、メールアプリケーション９Ｂを実行して新着メールを迅速に確認できる。
【００６８】
図１１は、図７のステップＳ１２に示す状態から、ホーム画面４０に配置されたアイコン５０ｂに対応付けられた天気予報アプリケーション９Ｄを実行する制御の例を示している。図１１に示すステップＳ３１は、アイコン５０ｂがドラッグされている状態を示している。図１１に示すステップＳ３２は、天気予報アプリケーション９Ｄが実行されたときの画面８０がディスプレイに表示されている状態を示している。
【００６９】
スマートフォン１は、タッチスクリーン２Ｂの検出結果を取得する。続いて、スマートフォン１は、図１１のステップＳ３１に示すように、オブジェクト６１と重なって表示されていないアイコン５０ｂに対するドラッグを検出した場合には、アイコン５０ｂに対応付けられた天気予報アプリケーション９Ｄを実行する。例えば、スマートフォン１は、ドラッグによりアイコン５０ｂが一定距離以上移動した場合に、天気予報アプリケーション９Ｄを実行する。そして、図１１のステップＳ３２に示すように、スマートフォン１は、ディスプレイ２Ａに天気予報アプリケーション９Ｄが実行されたときの画面８０を表示させる。このようにして、スマートフォン１は、利用者に対して、アプリケーションを容易に実行させることができる。例えば、利用者は、天気予報を確認したい場合に、オブジェクト６１の一部を排除した後、簡単な操作を行うことで、天気予報アプリケーション９Ｄを実行する天気予報を迅速に確認できる。
【００７０】
図１０及び図１１では、スマートフォン１は、ドラッグによりアイコン５０ａ又はアイコン５０ｂが一定距離以上移動した場合に、アイコン５０ａ又はアイコン５０ｂに対応付けられたアプリケーションを実行する例を説明したが、これには限定されない。例えば、スマートフォン１は、アイコン５０に対するピンチイン、ピンチアウト、ロングタッチなどを検出した場合に、アイコン５０に対応付けられたアプリケーションを実行してもよい。
【００７１】
図７〜図９に示すように、オブジェクト６１の一部又は全部が排除された後、例えば、操作可能となったアイコン５０などに対して一定時間操作が受け付けられない場合には、減少したオブジェクト６１を増加させてもよい。以下では、図１２を参照しつつ、オブジェクト６１の表示領域の一部を減少させた後、一定時間操作が受け付けられない場合に、オブジェクト６１の表示領域を増加させる制御（オブジェクト復元機能による制御）の例を説明する。図１２は、オブジェクト復元機能による制御の例を示す図である。
【００７２】
図１２は、図７のステップＳ１２に示す状態から、オブジェクト６１の表示領域を増加させる制御の例を示している。図１２に示すステップＳ４１は、図７のステップＳ１２に示す状態に対応する。図１２に示すステップＳ４２は、図７のステップＳ１１に示す状態に対応する。
【００７３】
スマートフォン１は、タッチスクリーン２Ｂの検出結果を取得する。続いて、スマートフォン１は、図１２のステップＳ４１に示すように、オブジェクト６１の表示領域を減少させた後、一定時間操作が受け付けられない場合には、図１２のステップＳ４２に示すように、オブジェクト６１の表示領域を増加させ、例えば、元の状態に復元する。このようにして、スマートフォン１は、できるだけ利用者による誤操作などを防止できる。
【００７４】
図１２では、スマートフォン１は、オブジェクト６１の表示領域を増加させる場合、一度にある程度の領域を増加させる例を説明したが、これには限定されない。例えば、スマートフォン１は、オブジェクト６１の表示領域を減少させた後、操作が受け付けられない間、時間の経過とともに、オブジェクト６１の表示領域を一定の割合で少しずつ増加させてもよい。このとき、オブジェクト６１の表示領域にアイコン５０が全て重なるまでは、アイコン５０を操作できるようにしてもよい。あるいは、オブジェクト６１の表示領域とアイコン５０とが少しでも重なった場合には、アイコン５０の操作を操作できないようにしてもよい。
【００７５】
図１３及び図１４を参照しながら、制御プログラム９Ａが提供する機能に基づく制御の処理手順の例について説明する。図１３及び図１４は、制御プログラム９Ａが提供する機能に基づく制御の処理手順を示す図である。
【００７６】
まず、図１３を用いて、ロック状態に移行する場合に、第２のオブジェクトを表示させる処理手順の一例を説明する。図１３に示す処理手順は、コントローラ１０が、制御プログラム９Ａを実行することによって実現される。図１３に示す処理手順は、スマートフォン１の起動中、コントローラ１０によって繰り返し実行される。
【００７７】
図１３に示すように、コントローラ１０は、ステップＳ１０１として、ロック状態に移行させるか否かを判定する。例えば、コントローラ１０は、操作が行われない時間が一定時間経過した場合には、ロック状態に移行させる。操作には、ボタン３に対する操作入力、タッチスクリーン２Ｂによるタッチジェスチャの検出、および各センサによるセンサ値の出力などが含まれる。
【００７８】
コントローラ１０は、判定の結果、ロック状態に移行させる場合には（ステップＳ１０１、Ｙｅｓ）、ステップＳ１０２として、ディスプレイ２Ａに表示されている画面に対して、第２のオブジェクトを重ねて表示し、処理を終了する。例えば、コントローラ１０は、ディスプレイ２Ａに表示されているホーム画面４０に対して、ホーム画面４０と略同一の面積を有する半透明のオブジェクト６１を重ねて表示させる。一方、コントローラ１０は、判定の結果、ロック状態に移行させない場合には（ステップＳ１０１、Ｎｏ）、そのまま処理を終了する。
【００７９】
次に、図１４を用いて、上述したオブジェクト排除機能（図７〜図９参照）、アプリケーション実行機能（図１０及び図１１参照）、オブジェクト復元機能（図１２参照）による制御の処理手順の一例を説明する。図１４に示す処理手順は、コントローラ１０が、制御プログラム９Ａを実行することによって実現される。図１４に示す処理手順は、スマートフォン１がロック状態にある場合に、コントローラ１０により、タッチスクリーン２Ｂの検出結果に基づいて繰り返し実行される。
【００８０】
図１４に示すように、コントローラ１０は、ステップＳ２０１として、第２のオブジェクトに対するタッチジェスチャに応じて、第２のオブジェクトの表示領域を減少させる。例えば、コントローラ１０は、ホーム画面４０と略同一の面積を有するオブジェクト６１の表示領域のうち、オブジェクト６１に対する利用者のタップが検出された位置を中心とする表示領域の一部を減少させる。一方、オブジェクト６１に対するタップが検出されない場合、コントローラ１０は、オブジェクト６１の表示領域を減少させない。続いて、コントローラ１０は、ステップＳ２０２として、第２のオブジェクトと重なって表示されていない第１のオブジェクトに対するタッチジェスチャが検出されたか否かを判定する。
【００８１】
コントローラ１０は、判定の結果、第１のオブジェクトに対するタッチジェスチャが検出された場合には（ステップＳ２０２、Ｙｅｓ）、ステップＳ２０３として、第１のオブジェクトに対応付けられたアプリケーションを実行して、処理を終了する。一方、コントローラ１０は、判定の結果、第１のオブジェクトに対するタッチジェスチャが検出されなかった場合には（ステップＳ２０２、Ｎｏ）、ステップＳ２０４として、第２のオブジェクトの表示領域を減少させてから一定時間が経過したか否かを判定する。
【００８２】
コントローラ１０は、判定の結果、第２のオブジェクトの表示領域を減少させてから一定時間が経過した場合には（ステップＳ２０４、Ｙｅｓ）、ステップＳ２０５として、第２のオブジェクトの表示領域を増加させて、処理を終了する。一方、コントローラ１０は、判定の結果、第２のオブジェクトの表示領域を減少させてから一定時間が経過していない場合には（ステップＳ２０４、Ｎｏ）、上述したステップＳ２０１に戻り、処理を継続する。
【００８３】
上述してきたように、スマートフォン１は、ロック状態にある場合に、ディスプレイ２Ａに表示されているホーム画面４０に対して、該ホーム画面４０を透過する半透明のオブジェクト６１を重ねて表示させる。これにより、ロック状態であっても、ロック状態となる前にディスプレイ２Ａに表示されていた情報を利用者に通知できる。さらに、スマートフォン１は、タッチスクリーン２Ｂによりオブジェクト６１に対するタッチジェスチャが検出された場合には、オブジェクト６１の表示領域を減少させる。これにより、オブジェクト６１の背面にあるホーム画面４０の一部を鮮明に表示させることができるとともに、ホーム画面４０の一部を操作可能な状態にできる。さらに、スマートフォン１は、オブジェクト６１と重なって表示されていないアイコン５０に対するタッチジェスチャがタッチスクリーン２Ｂにより検出された場合には、アイコン５０に対応付けられたアプリケーションを実行する。これにより、スマートフォン１は、利用者に対して、アプリケーションを容易に実行させることができる。さらに、スマートフォン１は、オブジェクト６１の表示領域を減少させた後、アイコン５０に対するタッチジェスチャがタッチスクリーン２Ｂにより検出されることなく一定時間が経過した場合には、オブジェクト６１の表示領域を増加させる。これにより、スマートフォン１は、できるだけ利用者による誤操作などを防止できる。
【００８４】
例えば、図７では、オブジェクト６１に対するタップを検出した場合には、スマートフォン１は、オブジェクト６１の表示領域を減少させる例を説明したが、表示領域を減少させる順序を予め設定しておき、設定された順序で表示領域を減少させてもよい。以下、図１５〜図１８を参照しつつ、オブジェクト排除機能による制御の例を説明する。
【００８５】
例えば、図１５に示すように、オブジェクト６１の表示領域のうち、Ｆ１→Ｆ２→Ｆ３の順番で、表示領域を減少させることが予め設定されているものとする。この場合、スマートフォン１は、図１６のステップＳ５１に示すように、オブジェクト６１に対するタップを検出した場合には、図１６のステップＳ５２に示すように、オブジェクト６１の表示領域のうち、Ｆ１に対応する表示領域を減少させる。続いて、スマートフォン１は、図１７のステップＳ５３に示すように、オブジェクト６１に対するタップを検出した場合には、図１６のステップＳ５４に示すように、オブジェクト６１の表示領域のうち、Ｆ２に対応する表示領域を減少させる。続いて、スマートフォン１は、図１８のステップＳ５５に示すように、オブジェクト６１に対するタップを検出した場合には、図１８のステップＳ５６に示すように、オブジェクト６１の表示領域のうち、Ｆ３に対応する表示領域を減少させる。図１５〜図１８において、オブジェクト６１をタップする位置は特に限定されない。
【００８６】
例えば、図７では、オブジェクト６１に対するタップを検出した場合には、スマートフォン１は、オブジェクト６１の表示領域を減少させる例を説明したが、検出されるタップの回数に応じて段階的に表示領域を減少させてもよい。以下、図１９及び図２０を参照しつつ、オブジェクト排除機能による制御の他の例を説明する。
【００８７】
例えば、スマートフォン１は、図１９のステップＳ６１に示すように、オブジェクト６１に対するタップを検出した場合には、ステップＳ６２に示すように、オブジェクト６１の表示領域を減少させずに、タップにより損傷を受けているかのような視覚効果を有する画像６２を表示させる。続いて、スマートフォン１は、ステップＳ６３に示すように、ステップＳ６２の状態からオブジェクト６１に対する次のタップを検出した場合には、ステップＳ６４に示すように、タップにより更なる損傷を受けているかのような視覚効果を有する画像６２を表示させる。続いて、スマートフォン１は、図２０のステップＳ６５に示すように、図１９のステップＳ６４の状態からオブジェクト６１に対する次のタップを検出した場合には、図２０のステップＳ６６に示すように、オブジェクト６１の表示領域のうち、画像６２を表示させていた箇所を減少させる。
【００８８】
上述した実施形態では、スマートフォン１は、ホーム画面４０に対して、オブジェクト６１を重ねて表示する場合を説明したが、これには限定されない。例えば、ロック状態に移行する直前に、ウェブブラウザなどのアプリケーションを実行していた場合には、アプリケーションの実行画面に対して、オブジェクト６１を重ねて表示してもよい。
【００８９】
上述した実施形態では、オブジェクト６１に対するタップを検出した場合には、スマートフォン１は、オブジェクト６１の表示領域を減少させる例を説明したが、これには限定されない。スマートフォン１は、オブジェクト６１に対するスワイプなど、タップ以外のタッチジェスチャが検出された場合に、オブジェクト６１の表示領域を減少させてもよい。
【００９０】
上述した実施形態では、ロック状態にある場合、スマートフォン１が、例えば、ロック状態に移行する直前にディスプレイ２Ａに表示されているホーム画面４０に対して、半透明のオブジェクト６１を重ねて表示させる例を説明した。しかしながら、これには限定されず、スマートフォン１は、例えば、半透明のオブジェクト６１の代わりに、ドットまたはパターンが描画されたオブジェクトなど、背面にあるホーム画面を透過するオブジェクトであればどのようなものを用いてもよい。あるいは、スマートフォン１は、例えば、ロック状態に移行する直前にディスプレイ２Ａに表示されているホーム画面などの第１のオブジェクトをキャプチャし、キャプチャした画像を、第１のオブジェクトに対して重ねて表示してもよい。このようにすれば、半透明のオブジェクト６１を表示する場合と同様に、ロック状態に移行する直前にディスプレイ２Ａに表示されていた情報を利用者に通知できるとともに、利用者の誤操作も防止できる。
【００９１】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【００９２】
例えば、図６に示した各プログラムは、複数のモジュールに分割されていてもよい。あるいは、図６に示した各プログラムは、他のプログラムと結合されていてもよい。
【００９３】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【００９４】
１    スマートフォン
２    タッチスクリーンディスプレイ
２Ａ  ディスプレイ
２Ｂ  タッチスクリーン
３    ボタン
４    照度センサ
５    近接センサ
６    通信ユニット
７    レシーバ
８    マイク
９    ストレージ
９Ａ  制御プログラム
９Ｂ  メールアプリケーション
９Ｃ  ブラウザアプリケーション
９Ｄ  天気予報アプリケーション
９Ｙ  使用状況データ
９Ｚ  設定データ
１０    コントローラ
１１    スピーカ
１２、１３  カメラ
１４    コネクタ
１５    加速度センサ
１６    方位センサ
１７    ジャイロスコープ
２０    ハウジング
【図１】
0005878042.tif 000002
【図２】
0005878042.tif 000003
【図３】
0005878042.tif 000004
【図４】
0005878042.tif 000005
【図５】
0005878042.tif 000006
【図６】
0005878042.tif 000007
【図７】
0005878042.tif 000008
【図８】
0005878042.tif 000009
【図９】
0005878042.tif 000010
【図１０】
0005878042.tif 000011
【図１１】
0005878042.tif 000012
【図１２】
0005878042.tif 000013
【図１３】
0005878042.tif 000014
【図１４】
0005878042.tif 000015
【図１５】
0005878042.tif 000016
【図１６】
0005878042.tif 000017
【図１７】
0005878042.tif 000018
【図１８】
0005878042.tif 000019
【図１９】
0005878042.tif 000020
【図２０】
0005878042.tif 000021